(57)【要約】【課題】作業の簡略化が図れるアーチ構造物の構築方法、ドーム構造物およびその構築方法を提供することである。【解決手段】アーチ構造物１の構築方法は、アーチ用組立部材７を架設構台１２で支持しながら連続的に接合して、一方の柱脚２がピン支承で、他方の柱脚３がローラー支承のアーチ架構５を組立形成し、前記両柱脚２、３間に設置した引張材６を所定の力で緊張してアーチ架構５をむくり上げて架設構台１２から離すとともに、ローラー支承の柱脚３を固定した後に、前記架設構台１２を撤去することである。【選択図】    図１
2004156388.tif 000002
【特許請求の範囲】
【請求項１】
アーチ用組立部材を架設構台で支持しながら連続的に接合して、一方の柱脚がピン支承で、他方の柱脚がローラー支承のアーチ架構を組立形成し、該アーチ架構の両柱脚間に引張材を設置し、該引張材を所定の力で緊張してアーチ架構をむくり上げて架設構台から離した後に、該架設構台を撤去することを特徴とするアーチ構造物の構築方法。
【請求項２】
一方が開口した平面湾曲状の地上躯体と、該地上躯体の開口部側に組立形成されたアーチ架構と、該アーチ架構と平面湾曲状の地上躯体とにわたって設置されたドーム屋根とからなり、前記アーチ架構の両柱脚間に設置された引張材が所定の力で緊張されてアーチ架構およびドーム屋根がむくり上げられて形成されたことを特徴とするドーム構造物。
【請求項３】
一方が開口した平面湾曲状の地上躯体の開口部側に、一方の柱脚がピン支承で、他方の柱脚がローラー支承のアーチ架構を架設構台で支持しながら組立形成するとともに、前記アーチ架構と平面湾曲状の地上躯体とにわたってドーム屋根を架設構台で支持しながら設置した後、前記アーチ架構の両柱脚間に引張材を設置し、該引張材を所定の力で緊張してアーチ架構とドーム屋根とをむくり上げて架設構台から離すとともに、該架設構台を撤去することを特徴とするドーム構造物の構築方法。
【発明の詳細な説明】
【０００１】
【発明の属する技術分野】
本発明はアーチ構造物の構築方法、ドーム構造物およびその構築方法に関するものである。
【０００２】
【従来の技術】
従来、アーチ構造物の構築方法、ドーム構造物およびその構築方法としては、特開平６−２６１０１号公報の発明が開示されている。このドーム構造物は架設構台でドーム屋根またはアーチ架構を支持しながら構築し、この構築後に架設構台に設置したジャッキでドーム屋根を押し上げて架設構台から離した後に、この架設構台を撤去していた。
【０００３】
【特許文献１】
特開平６−２６１０１号公報（図１０）
【０００４】
【発明が解決しようとする課題】
しかし、上記の構築方法においては、図１７に示すように、多数の架設構台３３によって支持されたアーチ架構３４のジャッキ３５による押し上げ作業、およびジャッキダウンの作業を、他のジャッキ３５とのバランスを取りながら一つ一つ行うため非常に困難な作業となって、多大の労力と時間とが必要になっていた。
【０００５】
本発明はこれらの問題に鑑みてなされたものであり、その目的は、作業の簡略化が図れるアーチ構造物の構築方法、ドーム構造物およびその構築方法を提供することである。
【０００６】
【課題を解決するための手段】
以上の課題を解決するためのアーチ構造物の構築方法は、アーチ用組立部材を架設構台で支持しながら連続的に接合して、一方の柱脚がピン支承で、他方の柱脚がローラー支承のアーチ架構を組立形成し、該アーチ架構の両柱脚間に引張材を設置し、該引張材を所定の力で緊張してアーチ架構をむくり上げて架設構台から離した後に、該架設構台を撤去することを特徴とする構成である。
またドーム構造物は、一方が開口した平面湾曲状の地上躯体と、該地上躯体の開口部側に組立形成されたアーチ架構と、該アーチ架構と平面湾曲状の地上躯体とにわたって設置されたドーム屋根とからなり、前記アーチ架構の両柱脚間に設置された引張材が所定の力で緊張されてアーチ架構およびドーム屋根がむくり上げられて形成されたことを特徴とする構成である。
またドーム構造物の構築方法は、一方が開口した平面湾曲状の地上躯体の開口部側に、一方の柱脚がピン支承で、他方の柱脚がローラー支承のアーチ架構を架設構台で支持しながら組立形成するとともに、前記アーチ架構と平面湾曲状の地上躯体とにわたってドーム屋根を架設構台で支持しながら設置した後、前記アーチ架構の両柱脚間に引張材を設置し、該引張材を所定の力で緊張してアーチ架構とドーム屋根とをむくり上げて架設構台から離すとともに、該架設構台を撤去することを特徴とする。
【０００７】
引張材の緊張でローラー支承の柱脚が内側に横移動するとともに、他方の柱脚がピン支承を中心に回転することにより、アーチ架構がむくり上げられて架設構台から一気に離されるので、架設構台がジャッキを必要とせずに撤去でき、アーチ構造物の構築が簡単になる。
アーチ架構のむくり上がりにともなってドーム屋根全体がむくり上げられるので、アーチ架構およびドーム屋根の応力の低減と、構成部材数量の低減とを図ることができる。
アーチ架構のむくり上がりにともなってドーム屋根全体がむくり上げられて架設構台から一気に離されるので、架設構台の簡単な撤去、およびドーム構造物の構築の簡略化が図れる。
【０００８】
【発明の実施の形態】
以下、本発明のアーチ構造物の構築方法、ドーム構造物およびその構築方法の実施の形態を図面に基づいて詳細に説明する。はじめにアーチ構造物の構築方法について説明し、次いでドーム構造物、そしてドーム構造物の構築方法について説明する。また各実施の形態において同じ構成は同じ符号を付して説明し、異なった構成にのみ異なった符号を付して説明する。
【０００９】
アーチ構造物１は、図１に示すように、両柱脚２、３が基礎４に支持されたアーチ架構５が両柱脚２、３間の下部に設置された引張材６の緊張によりむくり上げられて構成されたものである。
【００１０】
このアーチ架構５は、図２に示すような、アーチ用組立部材７が連続的に接続されて構成されたものであり、このアーチ用組立部材７はＨ形鋼からなるトラス材８が横方向に適宜間隔をもって接続されて構成されている。
【００１１】
一方、引張材６は、図３に示すように、適宜間隔をもって連結材９で連結された２本のＨ形鋼がその中央部で適宜間隔をもって左右に分割され、これら左右に分割された分割材１０がセンターホール型のジャッキ１１で接続されて構成されている。したがって、この分割された分割材１０をジャッキ１１で引っ張って緊張すると、図４に示すように、ローラー支承の柱脚３が内側に横移動するとともに、他方の脚柱２がピン支承を中心に回転するので、アーチ架構５がむくり上げられた状態になり、この状態で両柱脚２、３が基礎４に支持されている。
【００１２】
次に、このアーチ構造物１の構築方法について説明する。このアーチ架構５の建て方は、図１に示すように、アーチ架構５全体を９ブロックのアーチ用組立部材７に分割して、１ブロック、５ブロック、２、３、４、６、７、８、９ブロックの順に建て方を行うものとする。
【００１３】
このような建て方順のもとで７つの架設構台（角ベント支保工）１２を組立形成し、その頂部に、鉛直荷重をスムーズに流すための受け材１３を設置する。そして、製作ヤードで地組した両柱脚用組立部材１４を基礎４上に設置して、一方をピン支承に、他方をローラー支承にする。
【００１４】
次に、上記の建て方順にしたがって、地組した各アーチ用組立部材７をクレーンで吊り上げて、架設構台１２で支持しながら接続すると、一方の柱脚２がピン支承で、他方の柱脚３がローラー支承のアーチ架構５が組立形成される。
【００１５】
次に、図４に示すように、アーチ架構の両柱脚２、３間の下部に上記の引張材６を設置し、これをジャッキ１１で引っ張るとアーチ架構５がむくり上げられて架設構台１２から離される。このようにアーチ架構５全体が架設構台１２から離れたままになるので、各架設構台１２の解体かつ撤去が簡単になる。
【００１６】
図５は上記のアーチ架構５を用いたドーム構造物１５であり、平面湾曲状、すなわち馬蹄形の地上躯体１６の開口部１７側に上記のアーチ架構５が構築され、このアーチ架構５と地上躯体１６とにわたってドーム屋根１８が設置されて構成されている。このドーム構造物１５は、図６に示すように、引張材６の緊張によるアーチ架構５のむくり上げによってドーム屋根１８が全体的にむくり上げられて構成され、このドーム屋根１８の荷重および水平スラストを、アーチ架構５をむくり上げて引張材６で負担する構造になっている。なお、地上躯体は前記の馬蹄形に限らず、平面湾曲状であれば、平面円形または平面楕円形の一方に開口部を有した形状であってもよい。
【００１７】
このドーム屋根１８は、図７に示すように、グリット形式の屋根架構２１と、これに被覆された樹脂膜２２とから構成されている。またこの屋根架構２１は、図８に示すように、経線方向（アーチ架構５と直交方向）に架設されたフィーレンデイールトラス梁１９と、緯線方向（アーチ架構５に沿った方向）に架設されたメイントラス梁２０とから構成され、これらの梁端部は地上躯体１６に形成されたＳＲＣ造のテンションリング２３に接続され、このテンションリング２３で屋根荷重による鉛直力と水平力とを負担している。上記のメイントラス梁２０は、垂直材２０ａに斜材２０ｂが接合された山形構造になっており、この山の頂部で樹脂膜２２を支持するようになっている。
【００１８】
次に、このドーム構造物の構築方法について説明する。はじめに、図９に示すように、上面にテンションリング用鉄骨材２４を備えた平面馬蹄形の地上躯体１６と、アーチ架構５とを構築する。このアーチ架構５の構築方法は、引張材６を緊張してアーチ架構５をむくり上げるまでは、上記の方法と同じ方法で構築する。よって地上躯体１６の開口部１７側には、ピン支承の柱脚２とローラー支承の柱脚３との間に引張材６が設置されたアーチ架構５が構築されている。
【００１９】
この屋根架構２１の建て方は、図１０に示すように、屋根架構２１全体を３１のブロックの屋根用組立部材２５に分割して、１ブロックから順に建てるものであり、この建て方順に応じた架設構台（角ベント支保工）１２と四角支柱２６の設置個所の割り出しを行う。また前記屋根用組立部材２５は、図１１に示すように、フィーレンデイールトラス梁用のトラス材２７と、メイントラス梁用のトラス材２８とが交差して形成されている。
【００２０】
次に、上記の建て方順にしたがって、図１２の（１）に示すように、第１エリア２９の第１ブロックにクレーンで吊り上げた屋根用組立部材２５を架設構台１２で支持させながら設置するとともに、その端部を地上躯体１６のテンションリング用鉄骨材２４に接続する。このような作業を順次繰り返すと、同図の（２）に示すように、第１エリア２９の屋根用組立部材２５の建て方が完了する。
【００２１】
次に、図１３〜１５に示すように、上記と同じ作業を順次繰り返して残りの第２〜４のエリア３０、３１、３２の屋根用組立部材２５の建て方を行うと、図１５の（２）に示すように、経線方向に架設されたフィーレンデイールトラス梁１９と、緯線方向に架設されたメイントラス梁２０とで構成されたグリット形式の屋根架構２１が完成する。
【００２２】
この屋根架構２１が完成した後に、前記のテンションリング用鉄骨材２４にコンクリートを打設してテンションリング２３を完成させる（図示せず）。また、この屋根架構２１の荷重によるアーチ架構５の変形および水平スラストによってローラー支承の柱脚３が僅かに横移動する。
【００２３】
次に、アーチ架構５の両柱脚２、３間の下部に設置された引張材６をジャッキ１１で引っ張ると、図１６に示すように、アーチ架構５がむくれ上がって架設構台１２から離されるとともに、これにともなって屋根架構２１もむくれ上がって架設構台１２から離される。
【００２４】
そして、ローラー支承の柱脚３を鉄筋コンクリートで地上躯体１６に固定すると、アーチ架構５および屋根架構２１全体が架設構台１２から離された状態になるので、各架設構台１２の解体かつ撤去が簡単になる。そして、この屋根架構２１に樹脂膜（図示せず）を設置するとともに、アーチ架構５にカーテンウオール（図示せず）を設置すると、図５に示すようなドーム構造物１５が完成する。
【００２５】
【発明の効果】
アーチ構造物およびドーム構造物の作業の簡略化が図れる。
【図面の簡単な説明】
【図１】アーチ構造物の正面図である。
【図２】アーチ用組立部材の斜視図である。
【図３】引張材を示し、（１）は正面図、（２）は（１）の要部の拡大図、（３）は（２）のＡ−Ａ線断面図、（４）は平面図である。
【図４】引張材の緊張によりアーチ架構がむくり上がるのを示した概念図である。
【図５】ドーム構造物の斜視図である。
【図６】引張材の緊張によりアーチ架構と屋根架構とがむくり上がるのを示した概念図である。
【図７】ドーム構造物の分解斜視図である。
【図８】（１）はフィーレンデイールトラス梁の正面図、（２）はメイントラス梁の正面図である。
【図９】地上躯体の開口部側にアーチ架構を構築した斜視図である。
【図１０】（１）は屋根架構の建て方図、（２）は架設構台の設置個所の割り出し図である。
【図１１】（１）および（２）は屋根用組立材の平面図である。
【図１２】第１のエリアの屋根用組立部材の建て方を示した図である。
【図１３】第２のエリアの屋根用組立部材の建て方を示した図である。
【図１４】第３のエリアの屋根用組立部材の建て方を示した図である。
【図１５】第４のエリアの屋根用組立部材の建て方を示した図である。
【図１６】アーチ架構と屋根架構とをむくり上げた断面図である。
【図１７】従来のアーチ架構の構築方法を示した正面図である。
【符号の説明】
１  アーチ構造物
２、３  柱脚
４  基礎
５、３４  アーチ架構
６  引張材
７  アーチ用組立部材
８  トラス材
９  連結材
１０  分割材
１１、３５  ジャッキ
１２、３３  架設構台
１３  受け材
１４  両柱脚用組立部材
１５  ドーム構造物
１６  地上躯体
１７  開口部
１８  ドーム屋根
１９  フィーレンデイールトラス梁
２０  メイントラス梁
２１  屋根架構
２２  樹脂膜
２３  テンションリング
２４  テンションリング用鉄骨材
２５  屋根用組立部材
２６  四角支柱
２７  フィーレンデイールトラス梁用のトラス材
２８  メイントラス梁用のトラス材
２９  第１のエリア
３０  第２のエリア
３１  第３のエリア
３２  第４のエリア
【図１】
2004156388.tif 000003
【図２】
2004156388.tif 000004
【図３】
2004156388.tif 000005
【図４】
2004156388.tif 000006
【図５】
2004156388.tif 000007
【図６】
2004156388.tif 000008
【図７】
2004156388.tif 000009
【図８】
2004156388.tif 000010
【図９】
2004156388.tif 000011
【図１０】
2004156388.tif 000012
【図１１】
2004156388.tif 000013
【図１２】
2004156388.tif 000014
【図１３】
2004156388.tif 000015
【図１４】
2004156388.tif 000016
【図１５】
2004156388.tif 000017
【図１６】
2004156388.tif 000018
【図１７】
2004156388.tif 000019